(57)【特許請求の範囲】
【請求項１】
カメラの撮影レンズの外周に沿って設けられた操作リングと、
上記操作リングの操作に従って上記カメラの撮影条件に係る調整モードの設定を行うモード設定部と、
上記操作リングの操作に従って上記モード設定部によって設定された調整モードに係る撮影パラメータの数値調整が可能であるパラメータ数値調整部と、
上記モード設定部と上記パラメータ数値調整部のいずれかが動作するように切り換える切換部と、
カメラの背面に設けられた表示部と、
カメラの接眼部を通して被写体を観察する接眼ファインダ部と、
を有し、
上記モード設定部は、上記調整モードの設定の様子を上記表示部に表示し、上記パラメータ数値調整部は、上記撮影パラメータの数値調整の様子を上記接眼ファインダ部に表示することを特徴とするカメラ。
【請求項２】
上記接眼ファインダ部への接眼状態を検出する接眼検出部と、
を更に有し、
上記接眼検出部における接眼検出結果に従って、上記切換部は上記モード設定部と上記パラメータ数値調整部のいずれかが動作するように切り換えることを特徴とする請求項１に記載のカメラ。
【請求項３】
カメラ本体の外装部に設けられ、カメラの撮影条件に係る調整モードを表示可能な表示部と、
カメラ本体内部に配置され、カメラの撮影条件に係る調整モードに係る撮影パラメータを表示可能なファインダ内表示部と、
レンズ鏡筒の外周に回動可能に配置されたリング状操作部と、
上記カメラの撮影条件に係る調整モードを上記表示部に表示した際に、上記リング状操作部の回動操作に従って該調整モードの選択を行い、また、上記カメラの撮影条件に係る調整モードに係る撮影パラメータを上記ファインダ内表示部に表示した際に、上記リング状操作部の回動操作に従って該撮影パラメータの調整を行う制御部と、
を有することを特徴とするカメラ。
【請求項４】
上記ファインダ内表示部を撮影者が観察しているか否かを検知するための検知部を更に有し、
上記制御部は、
上記検知部によって上記ファインダ内表示部を撮影者が観察していないことを検知した場合に、上記カメラの撮影条件に係る調整モードを上記表示部に表示して、上記リング状操作部の回動操作に従って該調整モードの選択を行い、
上記検知部によって上記ファインダ内表示部を撮影者が観察していることを検知した場合に、上記カメラの撮影条件に係る調整モードに係る撮影パラメータを上記ファインダ内表示部に表示して、上記リング状操作部の回動操作に従って該撮影パラメータの調整を行うことを特徴とする請求項３に記載のカメラ。
【請求項５】
上記カメラに加えられたタップ操作を検知する振動検知部を更に有し、
上記制御部は、上記振動検知部によって上記タップ操作を検知した場合には、上記カメラの撮影条件に係るモードの選択、または上記カメラの撮影条件に係る数値のリセットを行うことを特徴とする請求項３に記載のカメラ。
【請求項６】
上記表示部をタッチ操作したことを検知するタッチパネルを更に有し、
上記制御部は、上記タッチパネルによって上記タッチ操作を検知した場合には、上記カメラの撮影条件に係る調整モードの選択、または該調整モードの決定、または該調整モードの保持を行うことを特徴とする請求項３に記載のカメラ。
【発明の詳細な説明】
【技術分野】
【０００１】
本発明は、カメラに関し、詳しくは、デジタルカメラやビデオカメラ等においてモード設定や調整等を行う際の表示や操作の改良に関する。
【背景技術】
【０００２】
近年、カメラにおいては、画像が電子化されてきたことから、画像を表示する方法としては、従来の光学的方法以外にも、電子的方法による表示が可能となり、表示方法は多岐に亘るようになった。また、接眼部に眼をあて、覗きながら被写体像を確認する撮影は、撮影時のカメラ保持の安定性が高いことから、この従来からのファインダを好むユーザも多い。
【０００３】
また、ピントや焦点距離（ズーム）の調節用に、撮影レンズ鏡筒の外周にリング状操作部材を設け、これを操作して撮影するスタイルが、一般に認知されたユーザインターフェースである。このようなリング状操作部材は、カメラを構えた時の安定性もよく、今後も多くのユーザに受け入られるものと考えられる。例えば、特許文献１には、ピントリングを自動焦点検出装置の検出に応じて駆動手段によってピントリングを駆動し、ピントリングの端点が検出された場合は、駆動手段によってズームリングを駆動することによってマクロ領域の被写体に対してもピント合わせを可能としたカメラが開示されている。
【先行技術文献】
【特許文献】
【０００４】
【特許文献１】特開平４−０７３６２８号公報
【発明の概要】
【発明が解決しようとする課題】
【０００５】
上述したように、表示部としては、カメラの背面等に配置された画面を有する表示部と、接眼部を覗いて観察する接眼ファインダの２種類があるが、両者の特徴を活かして、簡単な構成で誤動作なく、迅速に各種モードやパラメータの設定を可能としたカメラは、提案されていない。
【０００６】
本発明は、このような事情を鑑みてなされたものであり、簡単な構成で誤動作なく、迅速にモードやパラメータの設定を可能としたカメラを提供することを目的とする。
【課題を解決するための手段】
【０００７】
上記目的を達成するため第１の発明に係わるカメラは、カメラの撮影レンズの外周に沿って設けられた操作リングと、上記操作リングの操作に従って上記カメラの撮影条件に係る調整モードの設定を行うモード設定部と、上記操作リングの操作に従って上記モード設定部によって設定された調整モードに係る撮影パラメータの数値調整が可能であるパラメータ数値調整部と、上記モード設定部と上記パラメータ数値調整部のいずれかが動作するように切り換える切換部と、カメラの背面に設けられた表示部と、カメラの接眼部を通して被写体を観察する接眼ファインダ部と、を有し、上記モード設定部は、上記調整モードの設定の様子を上記表示部に表示し、上記パラメータ数値調整部は、上記撮影パラメータの数値調整の様子を上記接眼ファインダ部に表示する。
【０００９】
第２の発明に係わるカメラは、上記第１の発明において、上記接眼ファインダ部への接眼状態を検出する接眼検出部と、を更に有し、上記接眼検出部における接眼検出結果に従って、上記切換部は上記モード設定部と上記パラメータ数値調整部のいずれかが動作するように切り換える。
【００１０】
第３の発明に係わるカメラは、カメラ本体の外装部に設けられ、カメラの撮影条件に係る調整モードを表示可能な表示部と、カメラ本体内部に配置され、カメラの撮影条件に係る調整モードに係る撮影パラメータを表示可能なファインダ内表示部と、レンズ鏡筒の外周に回動可能に配置されたリング状操作部と、上記カメラの撮影条件に係る調整モードを上記表示部に表示した際に、上記リング状操作部の回動操作に従って該調整モードの選択を行い、また、上記カメラの撮影条件に係る調整モードに係る撮影パラメータを上記ファインダ内表示部に表示した際に、上記リング状操作部の回動操作に従って該撮影パラメータの調整を行う制御部と、を有する。
【００１１】
第４の発明に係わるカメラは、上記第３の発明において、上記ファインダ内表示部を撮影者が観察しているか否かを検知するための検知部を更に有し、上記制御部は、上記検知部によって上記ファインダ内表示部を撮影者が観察していないことを検知した場合に、上記カメラの撮影条件に係る調整モードを上記表示部に表示して、上記リング状操作部の回動操作に従って該調整モードの選択を行い、上記検知部によって上記ファインダ内表示部を撮影者が観察していることを検知した場合に、上記カメラの撮影条件に係る調整モードに係る撮影パラメータを上記ファインダ内表示部に表示して、上記リング状操作部の回動操作に従って該撮影パラメータの調整を行う。
【００１２】
第５の発明に係わるカメラは、上記第３の発明において、上記カメラに加えられたタップ操作を検知する振動検知部を更に有し、上記制御部は、上記振動検知部によって上記タップ操作を検知した場合には、上記カメラの撮影条件に係るモードの選択、または上記カメラの撮影条件に係る数値のリセットを行う。
第６の発明に係わるカメラは、上記第３の発明において、上記表示部をタッチ操作したことを検知するタッチパネルを更に有し、上記制御部は、上記タッチパネルによって上記タッチ操作を検知した場合には、上記カメラの撮影条件に係る調整モードの選択、または該調整モードの決定、または該調整モードの保持を行う。
【発明の効果】
【００１３】
本発明によれば、簡単な構成で誤動作なく、迅速に各種モードやパラメータの設定を可能としたカメラを提供することができる。
【図面の簡単な説明】
【００１４】
【図１】本発明の第１実施形態に係わるカメラの主として電気的構成を示すブロック図である。
【図２】本発明の第１実施形態に係わるカメラにおいて接眼検知を行うための構成を示すブロック図である。
【図３】本発明の第１実施形態に係わるカメラにおいて、調整モードの設定を説明する図であり、（ａ）は背面に配置された表示部を観察しながら調整モードを設定する様子を示し、（ｂ）は表示部における調整モード表示を示す図である。
【図４】本発明の第１実施形態に係わるカメラにおいて、撮影パラメータ（露出補正値）の設定を説明する図であり、（ａ）は接眼部を覗きながら撮影パラメータを設定する様子を示し、（ｂ）及び（ｃ）は接眼部を通して観察できる撮影パラメータ表示を示す図である。
【図５】本発明の第１実施形態に係わるカメラのカメラ制御の動作を示すフローチャートである。
【図６】本発明の第２実施形態に係わるカメラの背面表示を示す図であり、（ａ）は撮影者が接眼部から目を離した時の背面表示を示し、（ｂ）は撮影者が接眼部に目を当てている時の背面表示を示し、（ｃ）は撮影者が接眼部に目を当てている時の背面表示の変形例を示す。
【図７】本発明の第２実施形態に係わるカメラのカメラ制御の動作を示すフローチャートである。
【図８】本発明の第３実施形態に係わるカメラのカメラ制御の動作を示すフローチャートである。
【図９】本発明の第３実施形態に係わるカメラのファインダ内表示を示す図である。
【発明を実施するための形態】
【００１５】
以下、図面に従って本発明を適用したカメラを用いて好ましい実施形態について説明する。本発明の好ましい実施形態に係わるカメラは、デジタルカメラであり、撮像部を有し、この撮像部によって被写体像を画像データに変換し、この変換された画像データに基づいて、被写体像を本体の背面に配置した表示部にライブビュー表示し、また接眼部を覗くと観察可能な電子ビューファインダ（Electronic View Finder：以下、「ＥＶＦ」と称す）にもライブビュー表示する。撮影者はライブビュー表示を観察することにより、構図やシャッタチャンスを決定する。レリーズ操作時には、画像データが記録媒体に記録される。記録媒体に記録された画像データは、再生モードを選択すると、表示部に再生表示することができる。
【００１６】
図１に示すブロック図を用いて、本発明の第１実施形態に係わるカメラ１０の構成について説明する。カメラ１０は、画像処理及び制御部１、撮像部２、記録部４、振動検知部５、操作判定部６、リング状操作部６ｂ、ファインダ表示部（図中では「Ｆ表示部」と表記）７、接眼検知部７Ａ、表示部８、タッチパネル８ｂ、時計部９等から構成される。
【００１７】
撮像部２は、撮影レンズ２ｂ（図２参照）、シャッタ等の露出制御部、撮像素子２ｃ（図２参照）、撮像素子２ｃの駆動及び読出回路等を含み、撮影レンズ２ｂによって形成された被写体像を撮像素子２ｃによって画像データに変換し、これを出力する。なお、本明細書においては、画像データは、撮像素子２ｃから出力される画像信号に限らず、画像処理及び制御部１によって処理された画像データ、および記録部４に記録されている画像データ等についても使用する。
【００１８】
撮影レンズ２ｂを収納したレンズ鏡筒の周囲にはリング状操作部６ｂ（図３、図４参照）が設けられている。このリング状操作部６ｂは、レンズ鏡筒の周囲を回動自在であり、この回動方向および回動量は、図示しないエンコーダ等の検知部材によって検知可能である。この検知された回動方向および回動量は、画像処理及び制御部１に出力される。
【００１９】
画像処理及び制御部１は、ＣＰＵ（Central Processing Unit：中央処理装置）およびその周辺のハードウエア回路によって構成され、不図示の記憶部に記憶されているプログラムに従ってカメラ１０の全体のシーケンスを制御する。画像処理及び制御部１は、表示制御部１ａ、撮影制御部１ｂ、タッチ位置判定部１ｃを含む。
【００２０】
表示制御部１ａは、ファインダ表示部７と表示部８において被写体像をライブビュー表示すると共に、撮影パラメータ調整のための表示制御を行う。すなわち、カメラ１０の背面に配置された表示部８には被写体像に重畳して撮影パラメータの種類、例えば、露出補正値、絞り値、シャッタ速度、ピント等の調整モードの選択用の画像が表示され、表示制御部１ａは、この表示制御を行う。また、カメラ１０内に配置され、接眼部７ｃ（図３、図４参照）を通して観察するファインダ表示部７には、被写体に重畳して露出補正値等の撮影パラメータの数値の設定用の画像が表示され、表示制御部１ａはこの表示制御も行う。
【００２１】
撮影制御部１ｂは、操作判定部６によってユーザの操作を判定し、この判定結果に基づいて撮影の制御を行う。本実施形態においては、操作判定部６以外にも、タッチパネル８ｂやリング状操作部６ｂによって各種モードやパラメータ等を設定することができ、撮影制御部１ｂは、これら設定された各種モードやパラメータ等を反映した撮影を行う。
【００２２】
タッチ位置判定部１ｃは、タッチパネル８ｂから検知信号を入力し、この検知信号に基づいて、タッチパネル８ｂのタッチ位置を判定する。また、画像処理及び制御部１は、撮像部２から入力した画像データの画像処理、例えば、ホワイトバランス、色補正、ライブビュー表示用画像生成、動画画像生成、画像圧縮・画像伸張等の種々の画像処理を行なう。
【００２３】
記録部４は、カメラ本体に脱着自在な記録媒体、若しくは内蔵の記録媒体から構成される。記録部４には、撮像部２から出力され、画像処理及び制御部１によって画像処理された静止画や動画の画像データや、付随するデータが記録される。時計部９は、計時機能を有し、また日時情報を出力する。撮影時には、この日時情報が画像データと共に記録部４の記録媒体に記録される。
【００２４】
振動検知部５は、カメラ１０の内部に配置された１つ若しくは複数の加速度センサとそのドライバ等から構成され、カメラ１０の姿勢やカメラ１０に加えられた振動を検出する。加速度検出部５の検出結果は、画像処理及び制御部１に出力され、除振動作に用いられる。また、振動検知部５は、ユーザがカメラ１０を叩く（タップ）した際に瞬間的に発生する加速度も検出可能である。このタップ操作に基づいて、カメラ１０は撮影者からの指示を入力する。
【００２５】
操作判定部６は、カメラ１０の外装に配置されたレリーズ釦、電源釦、再生釦、メニュー釦等の各種操作部材を有し、この操作部材の操作状態を判定し、この判定結果を画像処理及び制御部１に出力する。
【００２６】
表示部８は、画像処理及び制御部１に接続されており、本体の背面等に配置された液晶や有機ＥＬ等のモニタを有し、ライブビュー表示や、撮影時のレックビュー表示や、記録部４に記録されている記録画像の表示や、メニュー画面等の制御画面を表示する。タッチパネル８ｂは、液晶モニタや有機ＥＬモニタ等の前面に配置または内部に一体化され、ユーザが表示部８の表示面をタッチした位置に応じた検知信号を、画像処理及び制御部１に送信する。
【００２７】
ファインダ表示部７は、いわゆる電子ビューファインダ（ＥＶＦ）であり、接眼部７ｃ（図３、図４参照）を通して、本体内に配置された小型の表示パネル７ａ（図２参照）を観察可能である。この表示パネル７ａにも、撮像部２から出力される画像データに基づく被写体像が表示され、また露出補正値等の撮影パラメータ設定用の画像も表示される。接眼検知部７Ａは、ファインダ表示部７の接眼部７ｃに撮影者２０の目が当てついているか、または接近しているかを検知する。
【００２８】
次に、ファインダ表示部７および接眼検知部７Ａの構成について、図２を用いて説明する。撮像部２を構成する撮影レンズ２ｂの光軸上に撮像素子２ｃが配置され、撮影レンズ２ｂは被写体光束を撮像素子２ｃ上に結像し、撮像素子２ｃは被写体像を画像データに変換し、画像処理及び制御部１に出力する。表示部８は画像処理及び制御部１に接続されており、画像処理及び制御部１において画像処理された画像データや、調整モード等の設定用の画像データ等は、表示部８に出力され、表示される。
【００２９】
また、画像処理及び制御部１は、ファインダ内表示部７を構成する表示パネル７ａに接続されており、撮像素子２ｃからの画像データや、撮影パラメータ設定用の画像データ等が表示パネル７ａに出力される。カメラ１０の接眼部７ｃ（図３、図４参照）の近傍に接眼レンズ７ｂが配置されている。撮影者２０は目を接眼部７ｃに当てつけることにより、接眼レンズ７ｂを介して、表示パネル７ａに表示される画像を観察することができる。なお、表示パネル７ａ、接眼レンズ、接眼部７ｃによってファインダ内表示部７が構成される。
【００３０】
投光素子７ｄは、画像処理及び制御部１に接続されており、画像処理及び制御部１からの発光指示信号に応じて投光する。なお、投光素子７ｄは、投光光路上に接眼レンズ７ａが位置するように配置する。また、受光レンズ７ｅおよび受光素子７ｆは、接眼部７ｃの近傍で撮影者２０が観察している場合に、投光素子７ｄからの投光の反射光を受光可能な位置に配置されている。受光素子７ｆは反射光を光電変換し、この検知信号を画像処理及び制御部１に出力する。本実施形態における接眼検知部７Ａは、上述の投光素子７ｄ、接眼レンズ７ａ、受光レンズ７ｅ、受光素子７ｆ等によって構成される。
【００３１】
このように、接眼検知部７Ａが構成されているので、接眼部７ｃを撮影者２０が覗いている等、接眼部７ｃの近傍に撮影者２０がいる場合には、これを検知することができる。つまり、ファインダ内表示部７の表示パネル７ａを観察するために、撮影者２０が接眼部７ｃを覗くと、投光素子７ｄからの投光が撮影者２０の頬等で反射する。受光素子７ｆはこの反射光を受光し、検知信号を画像処理及び制御部１に出力する。画像処理及び制御部１は、この検知信号に基づいて、撮影者２０が接眼部７ｃを覗いていることを判定することができる。
【００３２】
次に、リング状操作部６ｂを利用して行う撮影パラメータ選択のための調整モード設定と撮影パラメータの数値の調整について、図３及び図４を用いて説明する。図３（ａ）は、撮影者２０が接眼部７ｃを覗くことなく、表示部８を見ながら、いずれかの撮影パラメータを設定するための調整モード設定の様子を示している。すなわち、接眼検知部７Ａによって、撮影者２０が接眼部７ｃを覗いていないことを検知すると、表示制御部１ａは、図３（ｂ）に示すように、表示部８に撮影パラメータ選択のための調整モード設定用の画像を表示させる。本実施形態においては、調整モードとしては、露出補正、ピント、絞り値、シャッタ速度が設定可能である。
【００３３】
現在、選択されている調整モードは、色等を変え、他の調整モードと区別して表示される。この状態で、撮影者２０が撮影レンズ２ｂの鏡筒の周囲に配置されたリング状操作部６ｂを、左手２０Ｌによって回動させると、選択される撮影パラメータが順次、変更される。例えば、リング状操作部６ｂを時計回りに回すと、図３（ｂ）に示す例では、露出補正→シャッタ速度→絞り値→ピントの順に変更され、反時計回りに回すと、露出補正→ピント→絞り値→シャッタ速度の順に変更される。
【００３４】
このように、本実施形態においては、撮影者２０は、カメラ１０がブレないようにしっかり右手２０Ｒで構えたまま、リング状操作部６ｂを左手２０Ｌで回動させるだけで、撮影パラメータ設定のための調整モード設定を行うことが可能となる。撮影パラメータは表示部８に表示され、リング状操作部６ｂの回動方向に応じて、変更されるので、調整モード設定を容易に行うことができる。なお、選択されている調整モードの表示は、色を変える以外にも、フラッシング等の他の方法によって他の調整モードと区別できるようにしてもよい。
【００３５】
調整モード設定を行うと、次に、撮影パラメータの数値の設定を行う。図４（ａ）は、撮影者２０が接眼部７ｃを覗き、ファインダ内表示部７ｂにおける表示を見ながら、撮影パラメータの数値を設定する様子を示している。すなわち、接眼検知部７Ａによって、撮影者２０が接眼部７ｃを覗いていることを検知すると、表示制御部１ａは、図４（ｂ）（ｃ）に示すように、ファインダ内表示部７の表示パネル７ａに撮影パラメータの数値設定のための画像を表示させる。図４（ｂ）（ｃ）に示す例では、調整モードとして露出補正設定が選択された状態である。
【００３６】
撮影パラメータ数値設定のための画像としては、左上に選択されている調整モードが表示され（図示の例では露出補正）、左下に撮影パラメータの数値が表示され（図示の例では、＋１．０および−１．０）、画面の中央には、リング状操作部６ｂの使用感覚と一致させるためにリングが表示されている。
【００３７】
撮影パラメータの数値が表示された状態で、撮影者２０が撮影レンズ２ｂの鏡筒の周囲に配置されたリング状操作部６ｂを、左手２０Ｌによって回動させると、撮影パラメータの数値が順次、変更される。例えば、リング状操作部６ｂを時計回りに回すと、図示の例では、露出補正が増加し、一方、反時計回りに回すと、露出補正が減少するように変更される。なお、調整モードとして絞り値が設定されている場合には、リング状操作部６ｂを回動させることにより、絞り値が増減し、シャッタ速度が設定されている場合にはシャッタ速度が増減し、ピントが設定されている場合には、被写体距離が遠距離側や近距離側に変更される。なお、ピントが設定されている場合には、従来のマニュアルピント合わせと同じであり、この場合、被写体距離を表示してもよいが、従来と同様、表示しなくてもよい。
【００３８】
このように、本実施形態においては、図４（ａ）に示すように、接眼部７ｃを通してファインダ内表示部７を注視し、被写体を確認しながら撮影パラメータの調整を行うことができる。撮影パラメータの数値を変更すると、数値変更に応じてファインダ内表示部７における表示を変更するので、撮影者２０は撮影パラメータの変更に伴う画像の変化を確認することができる。カメラ１０の背面等に配置された表示部８での表示は、外光の影響によって画像の微妙な変化を確認し難いが、ファインダ内表示部７での表示は、外光の影響を受けないので、撮影パラメータの変更に伴う効果を確認することが容易である。
【００３９】
また、リング状操作部６ｂを時計回り又は反時計回りに回動させることにより、撮影パラメータの数値を、増減させることができる。図３に示した調整モード設定の状態から、撮影パラメータの数値設定の状態に切り替えるのは、単に、撮影者２０が接眼部７ｃを覗くだけであり、カメラ１０を保持する構え方とリング状操作部６ｂを保持する手は、何ら変更を要しない。このため、手振れの影響を受けることなく、また迅速に調整モード設定からパラメータ設定を行うことができる。
【００４０】
次に、本実施形態における動作を図５に示すフローチャートを用いて説明する。このフローチャートは、カメラ１０の不図示の記憶部に記憶されているプログラムに従って画像処理及び制御部１が実行する。
【００４１】
カメラ制御のフローでは、まず、電源がオンか否かの判定を行う（Ｓ１１）。操作判定部６によって電源釦が操作されたか否かが判定されるので、パワーオフ状態で電源釦が操作された場合には、電源オンと判定する。この判定の結果、電源オンでなかった場合には、カメラ制御のフローを終了する。なお、カメラ制御のフローを終了しても、所定時間間隔で電源釦が操作されたかを判定し、電源釦が操作された場合には、次のステップＳ１３に移行する。
【００４２】
ステップＳ11における判定の結果、電源オンの場合には、次に、撮影モードか否かの判定を行う（Ｓ１３）。この判定の結果、撮影モードであった場合には、次に、接眼状態か否かの判定を行う（Ｓ１５）。ここでは、接眼検知部７Ａによって、図４（ａ）に示すように、撮影者２０が接眼部７ｃを覗いているか否かの判定を行う。
【００４３】
ステップＳ１５における判定の結果、接眼状態でなかった場合には、次に、背面表示を行うと共に、タッチパネル８ｂをオンし、ファインダ内表示部７の表示をオフとする（Ｓ３１）。ここでは、カメラ１０の背面に設けられた表示部８の表示パネルに、図３（ｂ）に示すような、撮影パラメータを設定するための調整モード表示を行う。また、タッチパネル８ｂを動作状態とすることにより、撮影者２０が表示部８の表示パネルを直接、タッチにより指示することができる。また、撮影者２０がファインダ内表示部７を覗いていないことから、この表示をオフにする。
【００４４】
次に、リング状操作部が回動したか否かの判定を行う（Ｓ３３）。ここでは、撮影者２０がカメラ１０の背面に配置された表示部８を見ながら、露出調整等の調整モードを選択するために、リング状操作部６ｂを回動操作しているか否かを判定する。判定にあたっては、リング状操作部６ｂの回動に応じて信号を発生するエンコーダからの検知信号に基づいて行う。
【００４５】
ステップＳ３３における判定の結果、リング状操作部６ｂが回動した場合には、調整モードの変更を行う（Ｓ３５）。ここで、図３（ｂ）において説明したように、リング状操作部６ｂの回動方向と、表示部８上で選択される調整モードの移動方向が一致するようにする。
【００４６】
ステップＳ３５において調整モードの変更を行うと、またはステップＳ３３における判定の結果、リング状操作部６が回動していなかった場合には、次に、タッチパネル８ｂがタッチされたか否かの判定を行う（Ｓ３７）。露出補正等の調整モードの選択は、リング状操作部６ｂの回動操作によって行う以外にも、本実施形態においては、表示部８を直接、タッチすることによっても行うことができる。すなわち、撮影者２０が表示部８に表示されている露出補正等の調整モードの中で、設定を欲するモードがあれば、これを直接タッチする。
【００４７】
ステップＳ３７における判定の結果、タッチされていた場合には、調整モードの変更を行う（Ｓ３７）。ここでは、タッチ位置判定部１ｃがタッチ位置を判定し、この判定結果に基づいて、調整モードを特定し、調整モードの変更を行う。
【００４８】
ステップ１５における判定の結果、接眼状態であった場合には、次に、背面タッチパネルをオフする（Ｓ１７）。撮影者２０は、接眼部７ｃを覗いて、ファインダ内表示部７の表示パネル７ａに表示される画像を観察していることから、カメラ１０の背面に配置されたタッチパネル８ｂをオフする。
【００４９】
背面タッチパネル８ｂのオフを行うと、次に、選択した調整モードにおける数値をファインダ内に表示する（Ｓ１９）。前述したステップＳ３５またはＳ３９において、露出補正等の調整モードを選択していることから、この選択された調整モードにおける撮影パラメータの数値を、図４（ｂ）（ｃ）に示したように、ファインダ内の表示パネル７ａに表示する。
【００５０】
続いて、ライブビューをファインダ内に表示する（Ｓ２１）。ここでは、撮像部２から出力される画像データに基づいて、被写体像をファインダ内の表示パネル７ａでライブビュー表示を行う。
【００５１】
ファインダ内でライブビュー表示を行うと、次に、ステップＳ３３と同様に、リング状操作部６ｂが回動したか否かの判定を行う（Ｓ２３）。この判定の結果、リング状操作部６ｂが回動した場合には、次に、回動に応じて調整量の切換えを行う（Ｓ２５）。ここでは、図４（ｂ）（ｃ）を用いて説明したように、リング状操作部６ｂの回動方向と回動量に応じて、選択された調整モードにおける撮影パラメータの増減を行う。
【００５２】
また、ステップＳ２３における判定の結果、リング状操作部６ｂの回動がなかった場合には、次に、タップ操作が行われたか否かの判定を行う（Ｓ２７）。リング状操作部６ｂを操作することにより、撮影パラメータの増減を行うことができるが、元の値に戻す場合には、逆操作をしなければならず、迅速性に欠ける。そこで、本実施形態においては、タップ操作を行うことにより、元の値にリセットできるようにした。そこで、このステップＳ２７においては、振動検知部５からの検知信号に基づいて、撮影者２０がタップ操作を行ったか否かの判定を行う。ステップＳ２７における判定の結果、タップ操作があった場合には、設定値のリセット行う（Ｓ２９）。ここでは、前述したように、接眼状態に入る前の元の値にリセットする。
【００５３】
前述のステップＳ２５、Ｓ２９、Ｓ３９における処理を実行すると、または、ステップＳ２７における判定の結果、タップ操作がなかった場合には、またはステップＳ３７における判定の結果、タッチされていなかった場合には、次に、レリーズか否かの判定を行う（Ｓ４１）。ここでは、操作判定部６によってレリーズ釦６ｃが操作されたか否かを判定する。この判定の結果、レリーズでなかった場合には、ステップＳ１１に戻る。一方、レリーズであった場合には、撮影および記録を行う（Ｓ４３）。ここでは、撮像部２から出力される画像データを画像処理した後、記録部４に記録する。画像データの記録を行うとステップＳ１１に戻る。
【００５４】
ステップＳ１３における判定の結果、撮影モードでなかった場合には、次に、再生モードであるか否かを判定する（Ｓ５１）。ここでは、操作判定部６によって再生釦が操作されたか否かの判定を行う。この判定の結果、再生モードでなかった場合には、ステップＳ１１に戻る。
【００５５】
一方、ステップＳ５１における判定の結果、再生モードであった場合には、次に、撮影画像の再生を行う（Ｓ５３）。ここでは、指定された画像の画像データを記録部４から読み出し、表示部８に再生表示する。この再生表示を行うと、ステップＳ１１に戻る。
【００５６】
以上、説明したように、本発明の第１実施形態においては、撮影者２０がファインダ内表示部７における表示を観察していない場合には、カメラ１０の背面に配置された表示部８に、図３に示すように、露出補正等の調整モードを選択するための表示を行っている。撮影者２０はこの表示を見ながら、リング状操作部６ｂを操作することにより、調整モードを変更することができる。また、撮影者２０がファインダ内表示部７における表示を観察している場合には、リング状操作部６ｂを回動操作することにより、選択された調整モードに応じた撮影パラメータの数値を調整することができる。このように、本実施形態においては、カメラの表示部の観察状態とリング状操作部の回動操作に応じて、迅速に調整モードの設定を行うことができ、かつ設定された調整モードにおいて、撮影パラメータの調整を行うことができる。
【００５７】
次に、本発明の第２実施形態について、図６および図７を用いて説明する。第１実施形態においては、接眼部７ｃから目が離れると調整モードになり、接眼部７ｃに目が近付くと選択された調整モードで撮影パラメータの調整を行っていた。このため、接眼部７ｃに接眼したり、また離れたりしながら撮影を行う場合には、誤動作してしまうおそれがあった。そこで、本実施形態においては、接眼部７ｃから目が離れた状態で、カメラ１０の背面に配置された表示部８の表示面に表示されたアイコン（決定）をタッチすることにより、調整モードの選択を行うことができるようにした。
【００５８】
本実施形態におけるカメラ１０の電気的構成は、第１実施形態に係わる図１および図２に示したブロック図と同様であるので、詳しい説明は省略する。本実施形態における調整モードの選択は、第１実施形態と同様、撮影者２０の目が接眼部７ｃから離れた状態において行う。図６（ａ）は、表示部８の表示パネルに調整モード設定用の画像を表示している様子を示している。
【００５９】
図６（ａ）に示した調整モード設定用の画面において、撮影者２０はリング状操作部６ｂを回動操作することにより、第１実施形態の同様、回動操作の方向に従って、露出補正等の調整モードが変更される。撮影者が意図する調整モードに変更された際に、撮影者２０が「決定」と表記されたアイコンをタッチすると、調整モードが選択される。
【００６０】
調整モードが選択されると、次に、撮影者は、第１実施形態と同様、接眼部７ｃに目を当て、ファインダ内表示部７を観察しながら、リング状操作部６ｂを回動操作することにより、撮影パラメータの調整を行う。撮影パラメータの調整中は、図６（ｂ）に示すように、表示部８の表示パネルに「変更」と表記されたアイコンが表示される。撮影者が撮影パラメータの調整中に、他の調整モードに係わる撮影パラメータの調整を行うことを欲する場合には、「変更」のアイコンをタッチすれば、調整モードが変更される。例えば、調整モードとして露出補正が選択され、この撮影パラメータを調整中に、撮影者が「変更」アイコンをタッチすると、調整モードとして絞り値が選択され、撮影パラメータとして絞り値の変更が行われる。
【００６１】
次に、本実施形態における動作を図７に示すカメラ制御のフローチャートを用いて説明する。このフローチャートにおいて、第１実施形態に係わる図５のフローチャートと同一の処理を行うステップについては、同一のステップ番号を付し、詳しい説明は省略する。
【００６２】
カメラ制御のフローに入ると、第１実施形態と同様に、電源オンか否かを判定し（Ｓ１１）、撮影モードか否かを判定し（Ｓ１３）、接眼状態か否かの判定を行う（Ｓ１５）。この判定の結果、接眼状態でなかった場合には、次に、第１実施形態と同様に、背面表示を行うと共に、タッチパネル８ｂをオンし、ファインダ内表示部７の表示をオフとする（Ｓ３１）。
【００６３】
続いて、リング状操作部６ｂが回動したか否かの判定を行い（Ｓ３３）、この判定の結果、リング状操作部材６ｂが回動操作された場合には、調整モードの変更を行う（Ｓ３５）。ここでは、第１実施形態と同様に、撮影者は接眼部７ｃを覗いておらず、表示部８の表示パネルに表示された調整モード選択用の画像を見ながら、リング状操作部６ｂを回動させて調整モードの変更を行う（図６（ａ）参照）。
【００６４】
ステップＳ３５における調整モードの変更を行うと、またはステップＳ３３における判定の結果、リング状操作部６ｂが回動操作されていなかった場合には、次に、「決定」のアイコンがタッチされたか否かの判定を行う（Ｓ３８）。ここでは、図６（ａ）に示す「決定」のアイコンがタッチされたか否かについて、タッチ位置判定部１ｃによって判定する。この判定の結果、「決定」のアイコンがタッチされた場合には、ステップＳ３５において変更された調整モードに決定する。
【００６５】
ステップＳ１５における判定の結果、接眼状態であった場合には、次に、背面タッチパネルの一部のみ有効化し他の部分をオフする（Ｓ１８）。ここでは、表示部８の表示パネルの画面内で、図６（ｂ）に示す「変更」のアイコンの領域のみに対応するタッチパネル８ｂの領域を有効化し、タッチパネル８ｂの他の領域はオフとする。また、表示部８におけるライブビュー表示もオフとする。
【００６６】
続いて、第１実施形態と同様に、選択した調整モードの数値をファインダ内に表示し（Ｓ１９）、ファインダ内表示部７でライブビュー表示を行う（Ｓ２１）。そして、リング状操作部６ｂの回動状態を判定し（Ｓ２３）、この判定の結果、リング状操作部６ｂが回動していた場合には、回動に応じて調整量の切換えを行う（Ｓ２５）。
【００６７】
また、ステップＳ２３における判定の結果、リング状操作部６ｂが回動していなかった場合には、次に、有効領域がタッチされたか否かの判定を行う（Ｓ２８）。ここでは、図６（ｂ）に示す「変更」のアイコンがタッチされたか否かの判定を行う。この判定の結果、「変更」のアイコンがタッチされた場合には、次に、調整モードの変更を行う（Ｓ３０）。ここでは、現在、選択されている調整モードを順次変更して表示する。例えば、調整モードとして露出補正が選択されていた場合に、「変更」のアイコンがタッチされると、調整モードが絞り値に変更され、さらに「変更」のアイコンがタッチされるとピントに変更される。
【００６８】
前述のステップＳ２５、Ｓ３０、Ｓ４０における処理を実行すると、またはステップＳ２８における判定の結果、有効領域をタッチしていなかった場合には、またはステップＳ３８における判定の結果、「決定」のアイコンがタッチされなかった場合には、次に、第１実施形態と同様、レリーズか否かの判定を行う（Ｓ４１）。この判定の結果、レリーズでなかった場合には、ステップＳ１１に戻る。一方、レリーズであった場合には、次に、第１実施形態と同様、撮影および記録を行う（Ｓ４３）。撮影及び記録を行うと、ステップＳ１１に戻る。
【００６９】
このように、本発明の第２実施形態においては、接眼部７ｃから目が離れた状態で、カメラ１０の背面に配置された表示部８の表示面に表示された「決定」のアイコンをタッチすることにより、調整モードの選択を行うことができる（Ｓ３８、Ｓ４０参照）。また、撮影者が接眼部７ｃを覗いている状態で、カメラ１０の背面に配置された表示部８の表示面に表示された「変更」のアイコンをタッチすることにより、調整モードの変更を行うことができる（Ｓ２８、Ｓ３０参照）。第１実施形態では、接眼部７ｃに接眼したり、目を離すことで、調整モードと撮影パラメータの調整の切換えを行っていたが、第２実施形態においては、表示部８の表示パネル上のアイコンをタッチするだけで、切換えを行うことができ、誤動作するおそれがない。また、撮影者は接眼状態のままで、右手でタッチ操作することにより、調整モードを変更でき、左手でリング状操作部６ｂを回動操作することにより撮影パラメータの調整ができることから、迅速に調整モードの変更と撮影パラメータの調整を行うことができる。
【００７０】
なお、本実施形態においては、調整モードの変更は有効領域（「変更」アイコン）のタッチで行っていたが（Ｓ２８）、これに限らず、タップによって変更するようにしてもよい。この場合には、ステップＳ２８の判定をステップＳ２７のように「タップ？」とし、振動検知部５によってタップがなされたか否かを判定すればよい。また、例えば、図６（ｃ）に示すように、「決定」のアイコンの領域を拡大し、また、このアイコン内に、変更はタップで行うことを告知するための表示を行ってもよい。
【００７１】
次に、本発明の第３実施形態について、図８および図９を用いて説明する。第１及び第２実施形態においては、撮影者の接眼状態を接眼検知部７Ａによって判定していたが、第３実施形態においては、特別なセンサを設けることなく、背面表示部８の表示パネルに設けたアイコンをタッチすることによって、調整モードと撮影パラメータの調整とを切り換えるようにしている。
【００７２】
本実施形態におけるカメラ１０の電気的構成は、第１実施形態に係わる図１において、接眼検知部７Ａを省略したブロック図と同様であるので、詳しい説明は省略する。また、図２においても、接眼検知部７Ａに関する部材、すなわち、投光素子７ｄ、受光レンズ７ｅ、受光素子７ｆは省略される。また、本実施形態においては、調整モードが決定される前では、表示部８の表示パネルには、第２実施形態における図６（ａ）と同様の調整モード設定用の画像が表示される。
【００７３】
本実施形態における動作を図８に示すカメラ制御のフローチャートを用いて説明する。このフローチャートにおいて、第１実施形態に係わる図５のフローチャート、または第２実施形態に係わる図７のフローチャートと同一の処理を行うステップについては、同一のステップ番号を付し、詳しい説明は省略する。
【００７４】
カメラ制御のフローに入ると、第１実施形態と同様に、電源オンか否かを判定し（Ｓ１１）、撮影モードか否かを判定する（Ｓ１３）。この判定の結果、撮影モードであった場合には、次に、モード決定操作がなされたか否かの判定を行う（Ｓ１４）。第１および第２実施形態においては、接眼検知部７Ａによって判定していたが、本実施形態においては、ステップＳ４０において調整モードが決定されているか否かを判定する。
【００７５】
ステップＳ１４における判定の結果、モード決定操作がなされていなかった場合には、次に、第１実施形態と同様に、背面表示を行うと共に、タッチパネル８ｂをオンし、ファインダ内表示部７の表示をオフとする（Ｓ３１）。このとき、表示部８の表示パネルには、図６（ａ）に示すような調整モード設定用の画像が表示される。
【００７６】
続いて、リング状操作部６ｂが回動したか否かの判定を行い（Ｓ３３）、この判定の結果、リング状操作部材６ｂが回動操作された場合には、調整モードの変更を行う（Ｓ３５）。ここでは、第１実施形態と同様に、撮影者は接眼部７ｃを覗いておらず、表示部８の表示パネルに表示された調整モード選択用の画像を見ながら、リング状操作部６ｂを回動させて調整モードの変更を行う（図６（ａ）参照）。
【００７７】
ステップＳ３５における調整モードの変更を行うと、またはステップＳ３３における判定の結果、リング状操作部６ｂが回動操作されていなかった場合には、次に、第２実施形態と同様に、「決定」のアイコンがタッチされたか否かの判定を行う（Ｓ３８）。この判定の結果、「決定」のアイコンがタッチされた場合には、ステップＳ３５において変更された調整モードに決定する。
【００７８】
ステップＳ１４における判定の結果、モード決定操作がなされた場合には、次に、第１実施形態と同様に、選択した調整モードの数値をファインダ内に表示し（Ｓ１９）、ファインダ内表示部７でライブビュー表示を行う（Ｓ２１）。そして、リング状操作部６ｂの回動状態を判定し（Ｓ２３）、この判定の結果、リング状操作部６ｂが回動していた場合には、回動に応じて調整量の切換えを行う（Ｓ２５）。
【００７９】
また、ステップＳ２３における判定の結果、リング状操作部６ｂが回動していなかった場合には、次に、タップ操作が行われたか否かの判定を行う（Ｓ２７）。ここでは、振動検知部５からの検知信号に基づいて、撮影者２０がタップ操作を行ったか否かの判定を行う。撮影者が接眼状態で、撮影パラメータの数値の調整を行っている際に、異なる調整モードの撮影パラメータの数値を調整したい場合に、本実施形態においては、タップ操作によって調整モードの変更を行わせるようにしている。
【００８０】
ステップＳ２７における判定の結果、タップ操作があった場合には、第２実施形態と同様に、調整モードの変更を行う（Ｓ３０）。ここでは、前述したように、タップ操作に応じて、順次、調整モードを変更する。例えば、調整モードとして露出補正が選択されていた場合に、「変更」のアイコンがタッチされると、調整モードが絞り値に変更され、さらに「変更」のアイコンがタッチされるとピントに変更される。なお、ファインダ内表示部７における表示としては、図９に示すように、現在設定されている調整モード（図示の例ではピント調節）と、次のタップ操作によって設定される調整モード（図示の例では露出補正）を表示するようにしてもよい。この場合、現在設定されている調整モードと次の操作で設定される調整モードを識別できるように、例えば、色彩等で区別するとよい。
【００８１】
前述のステップＳ２５、Ｓ３０、Ｓ４０における処理を実行すると、またはステップＳ２７における判定の結果、タップ操作がなかった場合には、またはステップＳ３８における判定の結果、「決定」のアイコンがタッチされなかった場合には、次に、第１実施形態と同様、レリーズか否かの判定を行う（Ｓ４１）。この判定の結果、レリーズでなかった場合には、ステップＳ１１に戻る。一方、レリーズであった場合には、次に、第１実施形態と同様、撮影および記録を行う（Ｓ４３）。撮影及び記録を行うと、ステップＳ１１に戻る。
【００８２】
このように、本発明の第３実施形態においては、調整モード設定用の画面において、調整モードが設定されていない場合には、調整モード設定用の画面を表示し続け、一方、調整モードが決定されると、接眼状態にならなくてもファインダ内表示によって撮影パラメータの数値の調整を行うようにしている。このため、接眼検知部７Ａを省略することができ、カメラの小型化を図ることができる。
【００８３】
なお、ステップＳ２７においてタップ操作が有った場合に調整モードの変更をおこなっていたが、これに加えて、タッチパネルが保持されているか否かを判定し、タッチパネルが保持されていた場合には、調整モードを保持するようにしてもよい。すなわち、接眼状態にある場合には、撮影者の鼻がタッチパネルにぶつかる等、振動が加わり、調整モードが誤って変更される可能性がある。そこで、タッチパネルが保持されている場合には、調整モードの変更を禁止し、誤動作を防止する。
【００８４】
以上説明したように、本発明の各実施形態においては、カメラ１０に外装された表示部８を観察しながら行うリング状操作部６ｂの回動操作に従って調整モードの選択を行い、また、ファインダ内表示部７を観察しながら行うリング状操作部６ｂの回動操作に従って数値調節を行っている。このため、簡単な構成で誤動作なく、迅速にモードやパラメータの設定を行うことができる。
【００８５】
なお、本発明の各実施形態においては、カメラ１０の外装に設けた表示部８としては、カメラ１０の背面に配置したが、外装されていれば、背面に限らない。また、ファインダ内表示部７としては、電子ビューファインダ（ＥＶＦ）に限らず、例えば、光学ファインダ部に調整モードや撮影パラメータ設定用の画像を重畳させるようにしてもよい。
【００８６】
また、本発明の各実施形態においては、撮影パラメータの数値として、露出補正、絞り値、シャッタ速度値、ピントを例に挙げて説明したが、これに限らず、例えば、連写モードの際の駒速等、撮影パラメータを調整するものであれば、適用できる。さらに、撮影パラメータの数値を表示したが、数値に限らず、バー表示等、撮影パラメータを示すことができればよい。
【００８７】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。いずれにしても、撮影パラメータの数値を調整可能な撮影機能を有する装置であれば、本発明を適用することができる。
【００８８】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００８９】
１・・・画像処理及び制御部、１ａ・・・表示制御部、１ｂ・・・撮影制御部、１ｃ・・・タッチ位置判定部、２・・・撮像部、２ｂ・・・撮影レンズ、２ｃ・・・撮像素子、４・・・記録部、５・・・振動検知部、６・・・操作判定部、６ｂ・・・リング状操作部、６ｃ・・・レリーズ釦、７・・・ファインダ内表示部、７Ａ・・・接眼検知部、７ａ・・・表示パネル、７ｂ・・・接眼レンズ、７ｃ・・・接眼部、７ｄ・・・投光素子、７ｅ・・・受光レンズ、７ｆ・・・受光素子、８・・・表示部、８ｂ・・・タッチパネル、９・・・時計部、１０・・・カメラ、２０・・・撮影者、２０Ｌ・・・左手、２０Ｒ・・・右手
【図１】
0005457217.tif 000002
【図２】
0005457217.tif 000003
【図３】
0005457217.tif 000004
【図４】
0005457217.tif 000005
【図５】
0005457217.tif 000006
【図６】
0005457217.tif 000007
【図７】
0005457217.tif 000008
【図８】
0005457217.tif 000009
【図９】
0005457217.tif 000010